(57)【要約】【課題】ミキシングコンソールなどにおいて、チャンネルのパラメータを設定する操作子群の数を少なくしながら、操作性をよくする。【解決手段】第１，第２操作子群１，２の回転操作子１１，２１、スライド操作子１２，２２に、導光体１１ａ，１２ａ，２１ａ，２２ａを設ける。多色発光ＬＥＤにより導光体１１ａ，１２ａ，２１ａ，２２ａを多色発光させる。内部の全チャンネルに固有の発光色を設定しておく。アップダウンスイッチ３で操作子群１，２に設定チャンネルを割り当てる。操作子群１，２に対応させて、それぞれ設定されたチャンネルの発光色で多色発光ＬＥＤを発光させる。チャンネル表示部４に操作子群１，２に設定されたチャンネルのチャンネル番号を表示する。【選択図】図１
2006100945.tif 000002
【特許請求の範囲】
【請求項１】
複数のチャンネルの信号に対して各チャンネル毎に信号処理するための複数のパラメータを該チャンネル毎にそれぞれ設定し、該複数のチャンネルの一部または全部について信号の合成及び／または分離するミキサー装置において、
前記複数の全チャンネルには、各チャンネル毎にそれぞれ単体による固有のマーカーが設定され、
任意の１つのチャンネルにおける複数のパラメータを各々設定する複数の操作子からなる操作子群であって、前記複数のチャンネルの全チャンネル数より少ないチャンネル数分の複数の操作子群を有してなり、
前記パラメータの設定時に前記複数の操作子群に割り当てる設定チャンネルを選択する選択手段と、
前記操作子群に対応付けて前記各チャンネルの任意のマーカーを択一的に視認し得るようにしたチャンネル視認手段と
を設け、
前記選択手段にて設定チャンネルを選択し、該設定チャンネルが割り当てられた操作子群に対応する前記チャンネル視認手段のマーカーにより、該操作子群に割り当てられた設定チャンネルを認識して、該操作子群の操作子により該設定チャンネルにパラメータをそれぞれ設定し得るようにしたことを特徴とするミキサー装置。
【請求項２】
前記チャンネル視認手段として操作子対応の多色発光体を使用するとともに、前記マーカーを該多色発光体の発光色とし、前記操作子群に割り当てられた設定チャンネルを全チャンネルに対する特定色として表示するようにしたことを特徴とする請求項１に記載のミキサー装置。
【請求項３】
前記操作子群は、固定部と移動部とからなり該固定部に対して移動部を移動させて該移動部に有した操作子によりパラメータを設定し得る操作装置の操作子を含み、該操作子の表面に前記チャンネル視認手段の識別表示部を設けたことを特徴とする請求項１に記載のミキサー装置。
【請求項４】
前記操作子群は、固定部と移動部とからなり該固定部に対して移動部をスライド移動させて該移動部に有した操作子によりパラメータを設定し得る操作装置の操作子を含み、該操作子の表面に前記チャンネル視認手段の識別表示部を設けたことを特徴とする請求項１に記載のミキサー装置。
【請求項５】
前記操作子群は異なる種類の操作装置の操作子を含み、該操作子の表面に前記チャンネル視認手段の識別表示部を設けたことを特徴とする請求項１に記載のミキサー装置。
【請求項６】
前記操作子群は２以上の操作装置の操作子を含み、該２以上の操作装置の操作子は異なる機能のパラメータを設定する操作子であって、同一機能については同一マーカーを用い、該操作子の表面に前記チャンネル視認手段の識別表示部を設けたことを特徴とする請求項１に記載のミキサー装置。
【請求項７】
前記選択手段は、前記複数のチャンネルの全チャンネルに亘ってワンシフトスクロールさせて前記設定チャンネルを選択することを特徴とする請求項１に記載のミキサー装置。
【請求項８】
前記チャンネル視認手段を第１のチャンネル視認手段として、該第１のチャンネル視認手段とは異なる第２のチャンネル視認手段を設け、前記選択手段にて前記設定チャンネルが選択された場合、該第２のチャンネル視認手段で数値及び／または記号にて前記設定チャンネルを具体的に表示するようにしたことを特徴とする請求項１に記載のミキサー装置。
【請求項９】
複数のチャンネルの信号に対して各チャンネル毎に信号処理するための複数のパラメータを該チャンネル毎にそれぞれ設定し、該複数のチャンネルの一部または全部について信号の合成及び／または分離するミキサー装置において、
前記複数の全チャンネルには、各チャンネル毎にそれぞれ固有のマーカーが設定され、
任意の１つのチャンネルにおける複数のパラメータを各々設定する複数の操作子からなる操作子群であって、前記複数のチャンネルの全チャンネル数より少ないチャンネル数分の複数の操作子群を有してなり、
前記パラメータの設定時に前記複数の操作子群に割り当てる設定チャンネルを選択する選択手段と、
前記操作子群に対応付けて前記各チャンネルの任意のマーカーを択一的に視認し得るようにしたチャンネル視認手段と
を設け、
前記チャンネル視認手段は、第１の識別表示手段と第２の識別表示手段とを有し、前記第１の識別表示手段でチャンネルをレイヤー表示するとともに、前記第２の識別表示手段で下層詳細表示し、前記第１及び第２の識別表示手段の両方で前記マーカーを視認し得るようにし、
前記選択手段にて設定チャンネルを選択し、該設定チャンネルが割り当てられた操作子群に対応する前記チャンネル視認手段のマーカーにより、該操作子群に割り当てられた設定チャンネルを認識して、該操作子群の操作子により該設定チャンネルにパラメータをそれぞれ設定し得るようにしたことを特徴とするミキサー装置。
【請求項１０】
複数のチャンネルの信号に対して各チャンネル毎に信号処理するための複数のパラメータを該チャンネル毎にそれぞれ設定し、該複数のチャンネルの一部または全部について信号の合成及び／または分離するミキサー装置において、
前記複数の全チャンネルには、各チャンネル毎にそれぞれ固有のマーカーが設定され、
任意の１つのチャンネルにおける複数のパラメータを各々設定する複数の操作子からなる操作子群であって、前記複数のチャンネルの全チャンネル数より少ないチャンネル数分の複数の操作子群を有してなり、
前記パラメータの設定時に前記複数の操作子群に割り当てる設定チャンネルを選択する選択手段と、
前記操作子群に対応付けて前記各チャンネルの任意のマーカーを択一的に視認し得るようにしたチャンネル視認手段と
を設け、
前記チャンネル視認手段は、第１の識別表示と第２の識別表示とからなる色別表示手段を有し、第１識別表示と第２識別表示はそれぞれ４種類以上のｎ色（ｎ≧４）で構成されるｎ進法構成でなるｎ進法色表示手段であって、
前記選択手段にて設定チャンネルを選択し、該設定チャンネルが割り当てられた操作子群に対応する前記チャンネル視認手段の前記ｎ進法色表示手段によるマーカーにより、該操作子群に割り当てられた設定チャンネルを認識して、該操作子群の操作子により該設定チャンネルにパラメータをそれぞれ設定し得るようにしたことを特徴とするミキサー装置。
【発明の詳細な説明】
【技術分野】
【０００１】
本発明は、複数のチャンネルの信号に対して各チャンネル毎に信号処理するための複数のパラメータを該チャンネル毎にそれぞれ設定し、該複数のチャンネルの一部または全部について信号の合成及び／または分離するミキサー装置に関する。
【背景技術】
【０００２】
従来、ミキサー装置は、例えば特開２００４−７２２９５号公報に開示されているように、多数のチャンネルを有し、そのチャンネルの各種信号の統合及び分離が行われる。このようなミキサー装置において一般にチャンネル数が多ければ操作子の数も多くなる。また、チャンネル対応の操作子はチャンネル数分だけ横に配列するのが一般的である。
【０００３】
このように、ミキサー装置は多数のチャンネルを扱うため、例えばチャンネル数が３０を超えるとミキサー装置自体の横幅が大きくなるとともに、重量も重くなる。また、操作子数の増加によりコストも高くなる。そこで、操作子の数をチャンネル数分よりも少なくすることが考えられている。例えば、信号処理で扱うチャンネル数を３２チャンネルとして３２チャンネルを左右という概念で１〜１６チャンネルを左、１７〜３２チャンネルを右とする。また、操作子を１６チャンネル分だけ備え、この１６チャンネル分の操作に左の１〜１６チャンネルを割り当てたり、右の１７〜３２チャンネルを割り当てるようにする。そして、この割り当て方を切替スイッチで切り替えるようにする。
【特許文献１】特開２００４−７２２９５号公報
【発明の開示】
【発明が解決しようとする課題】
【０００４】
しかし、前記のように左／右を切り替えることで操作子数を少なくしても、前記１６チャンネル分のチャンネル関連の操作子はひとまとまりとなっているので、切替スイッチがこのチャンネル関連の操作子とは離れた位置になり、左／右のどちらのチャンネルであるかが分かりにくいという問題がある。
【０００５】
また、例えば１５〜１８チャンネルでワンセットとして信号処理する場合、セッティング時に何回も左／右を切り替えてから、つまり、特定チャンネルをセッティングする時に切替スイッチアクションが常につきまとい、操作性の点で問題がある。
【０００６】
本発明は、チャンネル関連の操作子の数を少なくするとともに、チャンネルを認識し易くするとともに、操作性を良くして、使い勝手のよいミキサー装置を提供することを課題とする。
【課題を解決するための手段】
【０００７】
請求項１のミキサー装置は、全チャンネルに対して各チャンネル毎に例えば発光体の発光などの単体からなる固有のマーカー（例えば発光色）を設定し、１つのチャンネルにおける複数のパラメータを各々設定する複数の操作子からなる操作子群の数を、全チャンネル数より少なくした。また、任意のマーカーを択一的に認識できるチャンネル視認手段（例えば、発光素子ＬＥＤでの色表示等）を各操作子群に共通に対応付けて設け、選択手段３にて、操作子群に割り当てる設定チャンネルを選択し、この設定チャンネルが割り当てられた操作子群に対応するチャンネル視認手段のマーカーにより、各操作子群に割り当てられた設定チャンネルを認識して、設定チャンネル内での各パラメータをそれぞれ設定し得るようにした。なお、「操作子群にチャンネルを割り当てる」とは、該操作子群を構成する操作子によって操作される操作装置でチャンネルのパラメータを設定できる状態にすることである。また、「操作子」は手動操作子に手で触れる摘み等である。
【０００８】
チャンネル視認手段を各操作子群に対応付ける方法としては、チャンネル視認手段の識別表示部を操作子群の近傍に設けてもよいし、該識別表示部を操作子群の操作子自体に設けてもよく、チャンネル視認手段と操作子群とが視認し易いように配置されていればよい。
【０００９】
請求項２のミキサー装置は、請求項１において、前記チャンネル視認手段として操作子対応の多色発光体を使用するとともに、前記マーカーを該多色発光体の発光色とし、前記操作子群に割り当てられた設定チャンネルを全チャンネルに対する特定色として表示するようにした。
【００１０】
請求項３のミキサー装置は、請求項１において、前記操作子群は、固定部と移動部とからなり該固定部に対して移動部を移動させて該移動部に有した操作子によりパラメータを設定し得る操作装置の操作子を含み、該操作子の表面に前記チャンネル視認手段の識別表示部を設けるようにした。この操作子は回転操作子やスライド操作子などであって、識別表示部は該操作子の表面に設けられる。識別表示部はチャンネル視認手段の前記マーカーが視認できる部位である。
【００１１】
請求項４にミキサー装置は、請求項１において、前記操作子群は、固定部と移動部とからなり該固定部に対して移動部をスライド移動させて該移動部に有した操作子によりパラメータを設定し得る操作装置の操作子を含み、該操作子の表面に前記チャンネル視認手段の識別表示部を設けるようにした。この操作子はスライド操作子などであって、識別表示部は該操作子の表面に設けられる。
【００１２】
請求項５のミキサー装置は、請求項１において、前記操作子群は異なる種類の操作装置の操作子を含み、該操作子の表面に前記チャンネル視認手段の識別表示部を設けるようにした。異なる種類の操作装置は、例えば、回転型、スライド型、押しボタン型、リボン型などの、いずれか２つを含む。
【００１３】
請求項６のミキサー装置は、請求項１において、前記操作子群は２以上の操作装置の操作子を含み、該２以上の操作装置の操作子は異なる機能のパラメータを設定する操作子であって、同一機能については同一マーカーを用い、該操作子の表面に前記チャンネル視認手段の識別表示部を設けるようにした。
【００１４】
請求項７のミキサー装置は、請求項１において、前記選択手段は、前記複数のチャンネルの全チャンネルに亘ってワンシフトスクロールさせて前記設定チャンネルを選択するようにした。ワンシフトスクロールにより、選択手段の操作毎にチャンネルが１チャンネルずつシフトする。
【００１５】
請求項８のミキサー装置は、請求項１において、前記チャンネル視認手段を第１のチャンネル視認手段として、該第１のチャンネル視認手段とは異なる第２のチャンネル視認手段を設け、前記選択手段にて前記設定チャンネルが選択された場合、該第２のチャンネル視認手段で数値及び／または記号にて前記設定チャンネルを具体的に表示するようにした。
【００１６】
請求項９のミキサー装置は、全チャンネルに対して各チャンネル毎に例えば発光体の発光などの固有のマーカー（例えば発光色）を設定し、１つのチャンネルにおける複数のパラメータを各々設定する複数の操作子からなる操作子群の数を、全チャンネル数より少なくした。また、任意のマーカーを択一的に認識できるチャンネル視認手段を各操作子群に対応付けて設け、このチャンネル視認手段を第１及び第２の識別表示手段とし、第１の識別表示手段によるチャンネルのレイヤー表示と、第２の識別表示手段による下層詳細表示により、前記マーカーを視認し得るようにし、選択手段にて、操作子群に割り当てる設定チャンネルを選択し、この設定チャンネルが割り当てられた操作子群に対応するチャンネル視認手段のマーカーにより、各操作子群に割り当てられた設定チャンネルを認識して、設定チャンネルにパラメータをそれぞれ設定し得るようにした。
【００１７】
請求項１０のミキサー装置は、請求項９と同様に全チャンネルに対して各チャンネル毎に例えば発光体の発光などの固有のマーカー（例えば発光色）を設定し、１つのチャンネルにおける複数のパラメータを各々設定する複数の操作子からなる操作子群の数を、全チャンネル数より少なくした。また、チャンネル視認手段は、第１の識別表示と第２の識別表示とからなる色別表示手段を有し、第１識別表示と第２識別表示はそれぞれ４種類以上のｎ色（ｎ≧４）で構成されるｎ進法構成でなるｎ進法色表示手段とする。そして、選択手段にて設定チャンネルを選択し、該設定チャンネルが割り当てられた操作子群に対応する、ｎ進法色表示手段によるマーカーにより、該操作子群に割り当てられた設定チャンネルを認識して、該操作子群の操作子により該設定チャンネルにパラメータをそれぞれ設定し得るようにした。
【発明の効果】
【００１８】
請求項１のミキサー装置によれば、操作子群の数を全チャンネルよりも少なくしながら、該操作子群に割り当てられた設定チャンネルを、該操作子群に対応するチャンネル視認手段のマーカーにより容易に認識することができるので、操作性がよく、使い勝手がよくなる。
【００１９】
請求項２のミキサー装置によれば、請求項１の効果に加えて、多色発光体の発光色により、設定チャンネルを認識できるので、直感的に素早い操作ができるなど操作性を高めることができる。
【００２０】
請求項３のミキサー装置によれば、請求項１の効果に加えて、操作子表面の識別表示部でマーカーを視認できるので、このマーカーによって操作子自体を直ぐに確認でき、さらに操作性がよくなる。
【００２１】
請求項４のミキサー装置によれば、請求項１の効果に加えて、操作子がスライド移動して位置が変わっていても、操作子表面の識別表示部でマーカーを視認できるので、このマーカーによって操作子自体を直ぐに確認でき、さらに操作性がよくなる。
【００２２】
請求項５のミキサー装置によれば、請求項１の効果に加えて、設定チャンネル内の特定パラメータ設定が異なる種類の操作装置の操作子によってわかりやすくなる。すなわち、これら操作子表面の識別表示部でマーカーを視認できるので、このマーカーによって操作子自体を直ぐに確認でき、さらに操作性がよくなる。
【００２３】
請求項６のミキサー装置によれば、請求項１の効果に加えて、別々のチャンネル内のパラメータ設定が複数の操作子群同士で同一機能が同一マーカーで表された操作子によって可能となるので別の機能との機能違いを認識しつつ、設定し得る。これによって、さらに使い勝手が良くなる。
【００２４】
請求項７のミキサー装置によれば、請求項１の効果に加えて、ワンシフトスクロールにより、選択手段の操作毎にチャンネルが１チャンネルずつシフトすることができるので、複数の操作子群に割り当てられる設定チャンネルの範囲を１チャンネルずつ変更（移動）できるので、複数チャンネルをワンセットとして信号処理する場合などでも、そのワンセットを該複数の操作子群に一度に割り当てられる可能性が高くなり、割り当ての切り替え操作を抑えることができ、さらに操作性がよくなる。
【００２５】
請求項８のミキサー装置によれば、請求項１の効果に加えて、第２のチャンネル視認手段でも数値及び／または記号にて具体的に設定チャンネルを認識できるので、さらに操作性がよくなる。
【００２６】
請求項９のミキサー装置によれば、操作子群の数を全チャンネルよりも少なくしながら、該操作子群に割り当てられた設定チャンネルを、該操作子群に対応するチャンネル視認手段のマーカーにより容易に認識することができるので、操作性がよく、使い勝手がよくなり、さらに、レイヤー表示と下層詳細表示との組み合わせにより多くのマーカーとすることができるので、全チャンネル数を多くすることができる。
【００２７】
請求項１０のミキサー装置によれば、操作子群の数を全チャンネルよりも少なくしながら、該操作子群に割り当てられた設定チャンネルを、該操作子群に対応するｎ進法色表示手段のｎ色によるマーカーにより容易に認識することができるので、操作性がよく、使い勝手がよくなる。
【発明を実施するための最良の形態】
【００２８】
以下、図面を参照して本発明の実施形態について説明する。図１は実施形態のミキサー装置のパネル面１０の要部正面図である。なお、このパネル面１０の説明では図１の上下左右でパネル面１０上の方向を示す。パネル面１０には、複数の操作子群として第１操作子群１と第２操作子群２が配設されている。また、選択手段としてのアップダウンスイッチ３、第２のチャンネル視認手段としてのチャンネル表示部４、及びパラメータ表示部５が配設されている。第１操作子群１は、複数の操作子としての３つの回転操作子１１1 ，１１2 ，１１3 と１つのスライド操作子１２とで構成され、第２操作子群２は複数の操作子としての３つの回転操作子２１1 、２１2 ，２１3 と１つのスライド操作子２２とで構成されている。また、アップダウンスイッチ３はアップスイッチ３Ｕとダウンスイッチ３Ｄとで構成されている。なお、以下の説明で、符号の添字は適宜省略して説明する。
【００２９】
回転操作子１１，２１は、パネル面１０の内部の操作子基板に配設された回転式ボリューム装置（操作装置）にそれぞれ取り付けられている。また、回転操作子１１，２１はそれぞれ中央に導光体１１ａ，２１ａを備えており、この導光体１１ａ，２１ａは、それぞれ対応する回転式ボリューム装置に設けられた多色発光ＬＥＤ素子の発光面に対向されている。この多色発光ＬＥＤ素子は、後述の赤色ＬＥＤ、緑色ＬＥＤ及び青色ＬＥＤで構成されており、各ＬＥＤの発光色の組み合わせにより多色で発光する。そして、この多色発光ＬＥＤ素子の光は導光体１１ａ，２１ａの内を通って各回転操作子１１，２１の上端部に出射し、この導光体１１ａ，２１ａが各色で発光する。
【００３０】
スライド操作子１２，２２は、パネル面１０の内部の操作装置基板に配設された後述のスライドボリューム装置（操作装置）の摘み部にそれぞれ取り付けられている。また、スライド操作子１２，２２はそれぞれ中央に導光体１２ａ，２２ａを備えており、この導光体１２ａ，２２ａは、それぞれ対応するスライドボリューム装置に設けられた後述の多色発光ＬＥＤ素子の発光面に対向されており、このスライド操作子１２，２２の各導光体１２ａ，２２ａも各色で発光する。
【００３１】
なお、この実施形態では、導光体１１ａ，２１ａと各多色発光ＬＥＤ素子、導光体２１ａ，２２ａと各多色発光ＬＥＤ素子が、それぞれ「チャンネル視認手段及び第１のチャンネル視認手段、多色発光体」に相当し、各導光体１１ａ，２１ａ，２１ａ，２２ａの上端面が「識別表示部」に相当する。
【００３２】
アップダウンスイッチ３のアップスイッチ３Ｕとダウンスイッチ３Ｄは押しボタン式のスイッチであり、このアップスイッチ３Ｕ、ダウンスイッチ３Ｄの操作により、第１操作子群１と第２操作子群２に割り当てられる設定チャンネルが切り替えられる。また、チャンネル表示部４には、第１操作子群１と第２操作子群２の各々の直上において。第１、第２操作子群１，２にそれぞれ割り当てられた設定チャンネルのチャンネル番号が表示される。図の例では第１操作子群１に第１チャンネルが、第２操作子群２に第２チャンネルがそれぞれ設定されていることが「１ＣＨ」「２ＣＨ」により表示されている。さらに、パラメータ表示部５には第１，第２操作子群１，２にそれぞれ割り当てられた設定チャンネルの、現在設定されている各パラメータ値、あるいは設定操作中の各パラメータ値等が表示される。
【００３３】
図２は実施形態におけるスライドボリューム装置を示す図である。なお、以下の説明では、第１操作子群１のスライド操作子１２に対応するスライドボリューム装置Ａについて詳述するが、第２操作子群のスライド操作子２２に対応するするスライドボリューム装置Ｂも同じ構造である。
【００３４】
スライドボリューム装置Ａは、樹脂製のスライドガイド６と、該スライドガイド６に取り付けられた樹脂製の摺動子７とを有しており、スライドガイド６はアルミニウム製の取付フレーム６３によって操作装置基板２０に固定されている。スライドガイド６は縦長の台座６１と縦長の基板保持部６２とを一体に形成して構成され、基板保持部６２は台座６１の上に立設した状態となっている。また、基板保持部６２の上端にはガイドレール６２ａが形成されるとともに台座６１の裏面には図には現れていないがガイド溝が形成されている。
【００３５】
また、図２(B) に示したように、摺動子７は下面部７１、側面部７２、上面部７３、及び摘み部７４を一体にして形成して構成されている。下面部７１の内側には摺動突起７１ａが形成されるとともに、上面部７３の内側には摺動溝７３ａが形成されている。そして、摺動子７は、下面部７１の摺動突起７１ａを基板保持部６２の裏面のガイド溝に嵌合するとともに、上面部７３の摺動溝７３ａを基板保持部６２のガイドレール６２ａに嵌合して、基板保持部６２に取り付けられている。これにより、摺動子７は基板保持部６２に沿って摺動する。摺動子７の摘み部７４内には多色発光ＬＥＤ素子７５が配設されるとともに、摘み部７４はパネル面１０の図示しない溝を通してパネル面１０から突出され、その上部に前記導光体１２ａを有するスライド操作子１２が取り付けられる。また、摺動子７の側面部７２の内側には接点部７６が取り付けられており、この接点部７６は、スライドガイド６の基板保持部６２の側面に取り付けられた基板６４に接触する。
【００３６】
図２(A) の一点鎖線部を図２(C) に拡大して図示したように、この基板６４には、ＬＥＤ導線パターン６４ａ，６４ｂ，６４ｃ，６４ｄと、ボリューム用導線パターン６４ｅ、ボリューム抵抗パターン６４ｆが、それぞれ形成されている。また、図２(D) に図２(C) のＣ−Ｃ断面を示したように、これらのパターンのうち、ＬＥＤ導線パターン６４ａ，６４ｂ，６４ｃ，６４ｄとボリューム用導線パターン６４ｅは、銅帯層６４１の上にカーボン層６４２を形成したものであり、ボリューム抵抗パターン６４ｆはカーボン層（抵抗体）６４３のみで形成したものである。前記摺動子７の接点部７６は、上記各パターンにそれぞれ対応して接触するブラシ構造の接点（以後、「ブラシ接点」という。）で構成されており、ＬＥＤ導線パターン６４ａ，６４ｂ，６４ｃ，６４ｄは各ブラシ接点を介して前記多色発光ＬＥＤ素子７５に接続される。そして、図示しない回路から多色発光ＬＥＤ素子７５に駆動電流が供給される。
【００３７】
また、ボリューム用導線パターン６４ｅとボリューム抵抗パターン６４ｆは対応するブラシ接点において短絡される。ボリューム抵抗パターン６４ｆは単位長当たりの所定の抵抗値を有しており、ボリューム抵抗パターン６４ｆとボリューム用導線パターン６４ｅは一端は図示しない回路の電圧検出回路に接続されている。そして、ボリューム抵抗パターン６４ｆの電圧検出回路側の端部からこの接点部７６の位置までの距離に応じて、その抵抗値を示す後述のボリューム回路として機能する。これにより、電圧検出回路で摺動子７の位置、すなわちスライド操作子１２の位置が検出され、この検出信号に応じてパラメータが設定される。
【００３８】
図３は実施形態におけるミキサー装置の要部回路図であり、この実施形態のミキサー装置は第１〜第４チャンネルの４つのチャンネルに対して信号処理を行うものであって、この４チャンネルの内の２チャンネルを、第１操作子群１と第２操作子群２に対してそれぞれ割り当てるものである。なお、内部の信号処理に係る４つのチャンネルを「内部チャンネル」という。また、第１操作子群１と第２操作子群２に対して割り当てたチャンネルを前述のように「設定チャンネル」という。さらに、図において、第１操作子群１と第２操作子群２を区別する場合、第１操作子群１を「ＣＨａ」、第２操作子群２を「ＣＨｂ」と表記する。
【００３９】
第１操作子群１の３つの回転式ボリューム装置で構成される３つのボリューム回路Ｖ１１，Ｖ１２，Ｖ１３と、スライドボリューム装置Ａで構成されるボリューム回路Ｖ１４と、第２操作子群２の３つの回転式ボリューム装置で構成される３つのボリューム回路Ｖ２１，Ｖ２２，Ｖ２３と、スライドボリューム装置Ｂで構成されるボリューム回路Ｖ２４とが、それぞれ抵抗ｒを介して基準電圧とアース間に並列に接続されている。そして、各ボリューム回路Ｖ１１〜Ｖ２４の抵抗値に応じた電圧信号は後述図４のマルチ分配回路３１と変化検出回路３２に入力される。また、マルチ分配回路３１には前記アップダウンスイッチ３のアップスイッチ３Ｕとダウンスイッチ３Ｄとが接続されている。
【００４０】
マルチ分配回路３１からは内部チャンネルに対応する４チャンネル分の出力線が導出され、各出力線は変換・ラッチ回路３３に入力される。各内部チャンネルに対応する出力線は１チャンネル当たり４本の出力線があり、それぞれ、チャンネルの入力ゲインを決めるパラメータであるＧＡＩＮ、内部のバスシステムに対する２つのＡＵＸ出力のセンドレベル（送り量）をそれぞれ決めるパラメータであるＡＵＸ１，ＡＵＸ２、出力レベルを決めるパラメータであるＦＤＲの４つのパラメータに対応している。そして、これらのパラメータＧＡＩＮ，ＡＵＸ１，ＡＵＸ２，ＦＤＲは、それぞれボリューム回路Ｖ１１〜Ｖ１４またはＶ２１〜Ｖ２４によって設定される。変換・ラッチ回路３３は、変化検出回路３２でボリューム回路Ｖ１１〜Ｖ２４の出力が変化したことが検出されたときに、その変化が検出されたボリューム回路に対応する信号をラッチする動作を行う。そして、このラッチされた信号は変換・ラッチ回路３３を介して、各内部チャンネルに対するミキサー機能を実現する図示しない電子回路に供給される。
【００４１】
また、マルチ分配回路３１からは、アップダウンスイッチ３の操作に応じて、設定チャンネルのシフト位置を示す３ビットの位置信号Ｓが出力され、この位置信号Ｓはビット変換回路３４に供給される。なお、この位置信号Ｓは、３ビットのいずれか一つがハイレベル（“１”）で残り２ビットがローレベル（“０”）となる信号であり、第１シフト位置で第１ビットがハイレベル、第２シフト位置で第２ビットがハイレベル、第３シフト位置で第３ビットがハイレベルとなる。ビット変換回路３４は位置信号Ｓを、第１操作子群１と第２操作子群２の設定チャンネルの組に対応する組データＤに変換する。また、この組データＤはテーブル回路３５によりＬＥＤ素子ｅ１〜ｅ８の発光色を決める色データＤ１ｒ，Ｄ１ｇ，Ｄ１ｂ，Ｄ２ｒ，Ｄ２ｇ，Ｄ２ｂに変換され、この色データＤ１ｒ，Ｄ１ｇ，Ｄ１ｂ，Ｄ２ｒ，Ｄ２ｇ，Ｄ２ｂは電子ボリュームＶ１ｒ，Ｖ１ｇ，Ｖ１ｂ，Ｖ２ｒ，Ｖ２ｇ，Ｖ２ｂの抵抗値を決める。なお、上記色データ、電子ボリュームの符号中の「１，２」（図１，図３を参照）は第１操作子群１及び第２操作子群２に対応していることを示し、「ｒ，ｇ，ｂ」は赤ＬＥＤ、緑ＬＥＤ、青ＬＥＤに対応していることを示している。
【００４２】
多色発光ＬＥＤ素子ｅ１〜ｅ４は第１操作子群１の回転操作子１１1 ，１１2 ，１１3 とスライド操作子１２に対応する前記４つの多色発光ＬＥＤ素子、多色発光ＬＥＤ素子ｅ５〜ｅ８は第２操作子群２の色回転操作子２１1 ，２１2 ，２１3 とスライド操作子２２に対応する前記４つの多色発光ＬＥＤ素子である。各多色発光ＬＥＤ素子ｅ１〜ｅ８は、記号“Ｒ，Ｇ，Ｂ”（赤、緑、青）で示す赤色ＬＥＤ、緑色ＬＥＤ及び青色ＬＥＤの３つ一組のＬＥＤ素子で構成しており、各ＬＥＤ素子のアノードは基準電圧Ｖに接続されている。多色発光ＬＥＤ素子ｅ１〜ｅ４の“Ｒ，Ｇ，Ｂ”の各同色のＬＥＤは並列に接続されてそのカソードはそれぞれ電子ボリュームＶ１ｒ，Ｖ１ｇ，Ｖ１ｂを介して接地されている。多色発光ＬＥＤ素子ｅ５〜ｅ８の“Ｒ，Ｇ，Ｂ”の各同色のＬＥＤは並列に接続されてそのカソードはそれぞれ電子ボリュームＶ２ｒ，Ｖ２ｇ，Ｖ２ｂを介して接地されている。そして、電子ボリュームＶ１ｒ，Ｖ１ｇ，Ｖ１ｂ，Ｖ２ｒ，Ｖ２ｇ，Ｖ２ｂの抵抗値が色データＤ１ｒ，Ｄ１ｇ，Ｄ１ｂ，Ｄ２ｒ，Ｄ２ｇ，Ｄ２ｂによって決まることにより、各多色発光ＬＥＤ素子ｅ１〜ｅ４，ｅ１〜ｅ８の発光色が決まる。
【００４３】
ここで、各多色発光ＬＥＤ素子ｅ１〜ｅ８の発光色は、各々の赤色ＬＥＤ（Ｒ）、緑色ＬＥＤ（Ｇ）、青色ＬＥＤ（Ｂ）の、電子ボリュームＶ１ｒ〜Ｖ２ｂの抵抗値に応じた輝度により決まるが、第１操作子群１に対応する多色ＬＥＤ発光素子ｅ１〜ｅ４は、色データＤ１ｒ，Ｄ１ｇ，Ｄ１ｂによって決まる同一色で発光し、第２操作子群２に対応する多色ＬＥＤ発光素子ｅ５〜ｅ８は色データＤ２ｒ，Ｄ２ｇ，Ｄ２ｂによって決まる同一色で発光する。４つの内部チャンネルには各チャンネルに固有の発光色が設定されており、多色ＬＥＤ発光素子ｅ１〜ｅ４は第１操作子群１に割り当てられた設定チャンネルに固有の発光色で発光し、多色ＬＥＤ発光素子ｅ５〜ｅ８は第２操作子群２に割り当てられた設定チャンネルに固有の発光色で発光する。すなわち、電子ボリュームＶ１ｒ〜Ｖ２ｂの抵抗値は色データＤ１ｒ〜Ｄ２ｂにより設定されるが、上記のような発光色となるように、設定チャンネルのシフト位置に応じた位置信号Ｓに基づいて、組データＤ及び色データＤ１ｒ，Ｄ１ｇ，Ｄ１ｂ，Ｄ２ｒ，Ｄ２ｇ，Ｄ２ｂが変換されるように、ビット変換回路３４及びテーブル回路３５が構成されている。
【００４４】
また、マルチ分配回路３１から出力される位置信号Ｓは表示駆動回路３６に入力され、この表示駆動回路３６は位置信号Ｓからチャンネル番号の表示データＤｎを生成して、前記チャンネル表示部４にシフト位置に応じたチャンネル番号を表示する。このチャンネル表示部４の表示は、第１操作子群１の直上に第１操作子群１に割り当てられた設定チャンネルのチャンネル番号を表示し、第２操作子群２の直上に第２操作子群２に割り当てられた設定チャンネルのチャンネル番号を表示する。
【００４５】
図４はマルチ分配回路３１の回路図である。入力信号のＧＡＩＮａ〜ＡＵＸ２ａは第１操作子群１（ＣＨａ）に対応するボリューム回路Ｖ１１〜Ｖ１４を介して得られる電圧信号であり、ＧＡＩＮｂ〜ＡＵＸ２ｂは第２操作子群２（ＣＨｂ）に対応するボリューム回路Ｖ２１〜Ｖ２４を介して得られる電圧信号である。各入力信号は、シフト位置に対応するそれぞれ３系統の信号とされ、これらの信号は前記位置信号Ｓでゲートが制御されるＦＥＴ回路を介して出力される。なお、前記位置信号Ｓはアップスイッチ３Ｕとダウンスイッチ３Ｄに接続されたアップダウンカウンタ３１ａとデコーダ３１ｂとにより生成される。
【００４６】
内部チャンネルＣＨ１の出力線にはＧＡＩＮａ〜ＡＵＸ２ａの入力信号のみが出力され、内部チャンネルＣＨ２とＣＨ３の出力線には、ＧＡＩＮａ〜ＡＵＸ２ａの入力信号またはＧＡＩＮｂ〜ＡＵＸ２ｂの入力信号の何れかがＯＲ回路群を介して出力される。また、内部チャンネルＣＨ４の出力線にはＧＡＩＮｂ〜ＡＵＸ２ｂの入力信号のみが出力される。すなわち、回路構成から明らかなように、第１シフト位置（位置信号Ｓの第１ビットのみがハイレベル）のとき、ＧＡＩＮａ〜ＡＵＸ２ａがＣＨ１に、ＧＡＩＮｂ〜ＡＵＸ２ｂがＣＨ２に出力される。第２シフト位置（第２ビットのみがハイレベル）のとき、ＧＡＩＮａ〜ＡＵＸ２ａがＣＨ２に、ＧＡＩＮｂ〜ＡＵＸ２ｂがＣＨ３に出力される。第３シフト位置（第３ビットのみがハイレベル）のとき、ＧＡＩＮａ〜ＡＵＸ２ａがＣＨ３に、ＧＡＩＮｂ〜ＡＵＸ２ｂがＣＨ４に出力される。
【００４７】
このように、第１シフト位置ではＣＨ１とＣＨ２、第２シフト位置ではＣＨ２とＣＨ３、第３シフト位置ではＣＨ３とＣＨ４がそれぞれ設定チャンネルとして選択される。この例では、アップダウンスイッチ３の操作により１チャンネルずつシフトする処理（ワンシフトスクロール）を行っている。なお、この例では全チャンネルが４チャンネル、操作子群の数が２であるが、操作子群数が全チャンネル数より少なければ任意の数でよい。この場合、シフト位置に対応するシフト段数は（全チャンネル数−操作子群の数）となる。
【００４８】
図６は第２実施形態のミキサ装置の回路ブロック図であり、ＣＰＵ１００はＲＯＭ２００のプログラムを実行して、パネル操作部７００の操作検出、表示手段６００の表示制御、及びミキサー機能の制御等を行う。パネル操作部７００は第１実施形態と同様な複数の操作子群、選択手段としてのアップダウンスイッチ（Ｕ／ＤＳＷ）等で構成されており、インターフェース（Ｉ／Ｆ）４００を介してバスに接続されている。また、表示手段６００は、操作子群に設けられた前記同様な多色発光ＬＥＤ表示素子やチャンネル表示部等で構成されており、インターフェース５００を介してバスに接続されている。さらに、ＲＡＭ３００には、内部チャンネルの各チャンネル毎に設定されているパラメータやそのチャンネルの前記色データ等、各チャンネルに関するプリセッタブルデータが記憶される。なお、この実施形態では、内部チャンネルの全チャンネル数を６４、操作子群の数（設定チャンネル数）を８とし、全チャンネルに対してそれぞれ異なる発光色が設定されている。設定チャンネル数を８としたので、同一操作子群における８チャンネル分は仮固定された８チャンネル分の中で、任意に容易にパラメータ設定及び変更を行うことができる。仮に設定すべきチャンネルが増えたとして、それが、該８チャンネル内になかったとしても、後述の図５ステップＳ２のアップダウンスイッチ（Ｕ／Ｄ）にてシフトしてから設定することもできる。
【００４９】
図５はＣＰＵ１００の要部動作を示すフローチャートであり、図５(A) はアップダウンスイッチの操作によるチャンネル設定処理、図５(B) は操作子群の操作をスキャンする処理であり、各処理はタイマ割り込み処理により実行される。図５(A) の処理では、ステップＳ１でアップダウンスイッチ（Ｕ／Ｄ）の操作があればステップＳ２でスイッチの種類により分岐する。アップスイッチ（Ｕ）の操作ならステップＳ３でチャンネル番号レジスタＣＨをインクリメントし、ダウンスイッチ（Ｄ）の操作ならステップＳ４でＣＨをデクリメントする。なお、この例では、チャンネル番号レジスタＣＨの値は“１〜５７”の範囲で増減するものとする。“１〜５３”とせず、“１〜５７”とすることで、設定チャンネル数が端部のところでも、そこをグループとするミキシング操作が容易になる。次に、ステップＳ５で、各操作子群に対応させて表示手段６００のチャンネル表示部にＣＨに応じてチャンネル番号を表示する。この場合、第１操作子群には（ＣＨ）の番号、第２操作子群には（ＣＨ＋１）の番号、…第８操作子群には（ＣＨ＋７）の番号を表示する。
【００５０】
次に、ステップＳ６で、チャンネル番号（ＣＨ）〜（ＣＨ＋７）の内部チャンネルに関するプリセッタブルデータ（パラメータ、色データ等）を読み出し、対応する内部チャンネルのチャンネルポートレジスタに格納（再表現）する。これにより、操作子群に対応して選択設定された内部チャンネルにそれまでのパラメータ等が設定される。次に、ステップＳ７で、チャンネルポートレジスタのうちの色データに基づいて、表示手段６００における多色発光ＬＥＤ素子（操作子群に対応する多色発光ＬＥＤ素子）を設定チャンネルに対応する発光色でそれぞれ発光させる。
【００５１】
図５(B) の処理では、ステップＳ１１で操作子群の各操作子をスキャンする。ステップＳ１２で何れかの操作子の変化があれば、ステップＳ１３で、設定チャンネルのチャンネルポートレジスタのうち、操作された操作子に対応するパラメータをその操作子の今の値に更新する。
【００５２】
以上の実施形態では、アップダウンスイッチの操作により、ＣＨ１〜ＣＨ８の設定チャンネルの組から、１チャンネルずつシフト（ワンシフトスクロール）しながらＣＨ５７〜ＣＨ６４の設定チャンネルの組まで、８チャンネル１組で選択できる。また、チャンネル番号レジスタＣＨの値を“１〜５７”の範囲としたが、所定レジスタＣＨｍの値をアップダウンスイッチの操作で（ＣＨｍ←ＣＨｍ±１  ｍｏｄ  ６４）として“０〜６３”の範囲で任意に変化させ、８つの設定チャンネルのチャンネル番号をＣＨｍ＋１，ＣＨｍ＋２，…，ＣＨｍ＋８として処理するようにしてもよい。このようにすることで、第１〜第８操作子群に対して、例えばＣＨ６４，ＣＨ１，ＣＨ２，…，ＣＨ７のようにＣＨ１とＣＨ６４の境を跨いで連続する任意の８チャンネルを選択することができる。
【００５３】
以上の実施形態では、アップダウンスイッチの操作により１チャンネルずつシフトする処理（ワンシフトスクロール）行い、内部チャンネルＣＨ１〜ＣＨ６４に対応する発光色を全て異なるようにしている。これに対して、８チャンネル分の発光色を８つの操作子群にそれぞれ対応させて用るとともに、例えばアップダウンスイッチの近傍などパネル面に別途のレイヤー表示用ＬＥＤ（第１の識別表示手段）を設けるようにしてもよい。この場合、レイヤー表示用ＬＥＤの発光色により、現在選択設定されている設定チャンネルの組を表示する（レイヤー表示）。また、各操作子群に対応する多色発光ＬＥＤ素子（第２識別表示手段）で各操作子群に対応する発光色で表示する（下層詳細表示）。すなわち、内部チャンネルのＣＨ１〜８、ＣＨ９〜１６、…、ＣＨ５７〜６４の各組をそれぞれレイヤーとし、このレイヤーをアップダウンスイッチで選択する。その選択されたレイヤーはレイヤー用ＬＥＤの発光色で表示する。なお、８つのレイヤーに対して、例えば、赤、橙、黄、緑、青、藍、紫、白を設定する。また、８つの操作子群に対して、例えば赤、橙、黄、緑、青、藍、紫、白を設定する。このように、レイヤー表示と下層詳細表示の組み合わせにより、６４チャンネルが色のみで明確に識別できる。この様な処理を行う場合、例えば、図５(A) のステップＳ３，Ｓ４を図５(C) のステップＳ３′，Ｓ４′に変更すればよい。
【００５４】
表示色として、４種類とし、赤、黄、緑、青を含むようにしてもよい。この配色は交通信号の色のように、色識別の代表色とも言えるもので、最も分かり易い４色といえる。また、４色以上の場合、少なくともこの赤、黄、緑、青の４色を含むようにする。また、「４」という数字（４色）は、演奏グループの「ボーカル、ギター、ベース、…」といったシンプルな組合せでも必要最小限の数字であり、ミキサー装置として適用するのに極めて意味のあることである。また、８種類の場合、前記の白色は、黒でも、金でも、銀でも、茶でもよい。また、ｎ＝１０の場合（１０色の場合）は、抵抗器の色帯の色（抵抗色）と同一にすれば混乱がない。
【００５５】
以上の実施形態では、チャンネル表示部によりチャンネル番号を表示するようにしているので、チャンネル把握が容易になるが、このチャンネル表示部及びその表示処理（ステップＳ５等）はなくてもよい。
【００５６】
操作子群に対応する回転式ボリューム装置及びスライドボリューム装置において、モータ等の駆動手段により回転操作子を回転させたり、スライド操作子をスライドさせるように構成した操作装置を用いることもできる。この場合、各操作子群に設定チャンネルを割り当てた段階で、その設定チャンネルのプリセッタブルデータを読み出し、そのパラメータに対応するように回転操作子の回転位置やスライド操作子のスライド位置を自動設定するようにする。これにより、既に設定されているパラメータを変更する場合、自動設定された操作子をその位置から変更したい量だけ操作すればよいので、変更量と操作量とが対応するので操作性がよくなる。
【００５７】
なお、以上の実施形態のミキサー装置は音響に関するものであるが、例えば映像信号の混合あるいは分離等を行う映像信号用のミキサー装置でもよいことはいうまでもない。
【図面の簡単な説明】
【００５８】
【図１】本発明の実施形態におけるミキサー装置のパネル面の要部正面図である。
【図２】本発明の実施形態におけるスライドボリューム装置を示す図である。
【図３】本発明の実施形態におけるミキサー装置の要部回路図である。
【図４】本発明の実施形態におけるマルチ分配回路の回路図である。
【図５】本発明の第２実施形態におけるＣＰＵの要部動作フローを示すフローチャートである。
【図６】本発明の第２実施形態におけるミキサー装置の回路ブロック図である。
【符号の説明】
【００５９】
１…第１操作子群（操作子群）、２…第２操作子群（操作子群）、３…アップダウンスイッチ（選択手段）、３Ｕ…アップスイッチ、３Ｄ…ダウンスイッチ、４…チャンネル表示部（第２のチャンネル視認手段）、１１，２１…回転操作子（操作子、移動部）、１２，２２…スライド操作子（操作子、移動部）、１１ａ，１２ａ，２１ａ，２２ａ…導光体（チャンネル視認手段、多色発光体、識別表示部）、６…スライドガイド（固定部）、７…摺動子（移動部）、７５，ｅ１〜ｅ８…多色発光ＬＥＤ素子（多色発光体）
【図１】
2006100945.tif 000003
【図２】
2006100945.tif 000004
【図３】
2006100945.tif 000005
【図４】
2006100945.tif 000006
【図５】
2006100945.tif 000007
【図６】
2006100945.tif 000008